(57)【要約】【課題】コンプレッサーがなくドライエアを供給することが困難な施設でも、一定量の凝集剤を供給することができる凝集剤供給装置を提供する。【解決手段】ケーシング２に入れられた凝集剤は羽根３により分散し、分散した凝集剤は回転するテーブル５の溝７に入り、仕切り部材９により摺り切られ、排出部８において、所定の角度のついたナイフ６により溝７に存在する凝集剤は上に持ち上げられながら、一定量が掻い出され、外部に排出される。このように、凝集剤を掻い出すためのナイフ６にテーブル５の回転方向に対して角度を付ける事により、溝に入った凝集剤を掻い出し易くすることができ、一定量の供給を行うことができる。従って、コンプレッサーがなくドライエアを供給することが困難な施設でも、一定量の凝集剤を供給することができる。【選択図】図１
2008229521.tif 000002
【特許請求の範囲】
【請求項１】
凝集剤を溜めるケーシングと、主軸に取付けられて回転し、前記ケーシング内の凝集剤を分散させる羽根と、前記ケーシング内の下方に設けられ、前記主軸に取付けられて回転し、凝集剤が入り込む溝を有する円形のテーブルと、凝集剤を外部に排出する排出部と前記ケーシングとの間を仕切るとともに、前記ケーシングから前記排出部に到来する凝集剤のうち前記溝の部分に存在する凝集剤のみが前記排出部に到来するように、凝集剤を摺り切る仕切部材と、前記排出部に設けられ前記溝の部分に存在する凝集剤を掻い出すためのナイフとを備え、
前記ナイフの先端部分が凝集剤の到来する方向に傾斜し、前記ナイフがテーブルの回転方向に対して所定の角度を持つようにしたことを特徴とする凝集剤供給装置。
【請求項２】
凝集剤を溜めるケーシングと、主軸に取付けられて回転し、前記ケーシング内の凝集剤を分散させる羽根と、前記ケーシング内の下方に設けられ、前記主軸に取付けられて回転し、凝集剤が入り込む溝を有する円形のテーブルと、凝集剤を外部に排出する排出部と前記ケーシングとの間を仕切るとともに、前記ケーシングから前記排出部に到来する凝集剤のうち前記溝の部分に存在する凝集剤のみが前記排出部に到来するように、凝集剤を摺り切る仕切部材と、前記排出部に設けられ前記溝の部分に存在する凝集剤を掻い出すためのナイフとを備え、
前記ナイフの前記主軸側の部分が凝集剤の到来する方向に傾斜し、前記ナイフがテーブルの回転方向とは垂直な方向に対して所定の角度を持つようにしたことを特徴とする凝集剤供給装置。
【請求項３】
凝集剤を溜めるケーシングと、主軸に取付けられて回転し、前記ケーシング内の凝集剤を分散させる羽根と、前記ケーシング内の下方に設けられ、前記主軸に取付けられて回転し、凝集剤が入り込む溝を有する円形のテーブルと、凝集剤を外部に排出する排出部と前記ケーシングとの間を仕切るとともに、前記ケーシングから前記排出部に到来する凝集剤のうち前記溝の部分に存在する凝集剤のみが前記排出部に到来するように、凝集剤を摺り切る仕切部材と、前記排出部に設けられ前記溝の部分に存在する凝集剤を掻い出すためのナイフとを備え、
前記ナイフの先端部分が凝集剤の到来する方向に向けられ、前記ナイフがテーブルの回転方向から排出方向に曲面を持つようにしたことを特徴とする凝集剤供給装置。
【発明の詳細な説明】
【技術分野】
【０００１】
本発明は、食品工業、化学工業、産業廃棄物処理業、水処理業などにおいて用いられ、凝集剤を自動的に供給する凝集剤供給装置に関する。
【背景技術】
【０００２】
図７に、凝集剤供給装置の従来例の概略構成を示す。図７において、（ａ）、（ｂ）、（ｃ）はそれぞれ左側面、正面、および上面からみた主要な構成部品の配置を示す図である。図７に示すように、凝集剤供給装置１には、粉末状の凝集剤を溜めるケーシング２と、ケーシング２からの凝集剤を分散させる羽根３が主軸４に取付けられ、主軸４に、溝７を持った円形のテーブル５が取付けられている。排出部８とケーシング２との間に仕切り部材９が設けられている。溝７に入った凝集剤が一定量になるように、凝集剤が排出部８に到来する側の仕切り部材９により凝集剤が摺り切られ、溝７の部分に存在する凝集剤のみが排出部８に到来するように構成され、排出部８において、ケーシング２に凝集剤を掻い出すナイフ６が取付けられている。このナイフ６は、その下方の部分が溝７に挿入されている。
【０００３】
図７において、主軸４に取付けられたテーブル５は回転し、ケーシング２に入れられた凝集剤は羽根３により分散する。分散した凝集剤はテーブル５の溝７に入り、仕切り部材９により摺り切られ、排出部８において、一定量がナイフ６により掻い出され、外部に排出される。
【０００４】
ところで、凝集剤は湿気を吸収するため、ドライエアを入れて湿気を含み難くしたり、乾燥剤を用いたりしている（乾燥剤を用いることについては、例えば、特許文献１参照）。
【特許文献１】特開２００３−３２６１０６号公報（第２頁）
【発明の開示】
【発明が解決しようとする課題】
【０００５】
しかし、エアコンプレッサーのない施設ではドライエアを入れることができず、また、乾燥剤を用いたとしても、湿気を完全に吸収することができないため、凝集剤は湿気を含み、一定量の供給が困難となる。すなわち、図７に示す凝集剤供給装置において、湿気を含んだ凝集剤は固くなるので、ナイフ６の近傍で、凝集剤と、回転するテーブル５の溝７との間ですべりが生じ、溝に入った凝集剤はナイフ６により掻い出され難くなり、凝集剤の一定量の供給が困難となる。例えば、凝集剤供給装置１のケーシング２に１日分の凝集剤１ｋｇ位を入れておき、例えば１時間ごとに１回、間歇的に装置を動作させ、１回の動作で一定量の１００ｇの凝集剤を供給するような場合、通常１分間動作させれば１００ｇの凝集剤を掻い出し排出できるが、凝集剤が湿った状態の場合は１分間に５０ｇ程度しか掻い出し排出することができなかった。
【０００６】
本発明は、このような従来の問題点に鑑みて為されたもので、コンプレッサーがなくドライエアを供給することが困難な施設でも、一定量の凝集剤を供給することができる凝集剤供給装置を提供することを目的とする。
【課題を解決するための手段】
【０００７】
上記目的を達成するために、本発明の凝集剤供給装置は、凝集剤を溜めるケーシングと、主軸に取付けられて回転し、ケーシング内の凝集剤を分散させる羽根と、ケーシング内の下方に設けられ、主軸に取付けられて回転し、凝集剤が入り込む溝を有する円形のテーブルと、凝集剤を外部に排出する排出部とケーシングとの間を仕切るとともに、ケーシングから排出部に到来する凝集剤のうち溝の部分に存在する凝集剤のみが排出部に到来するように、凝集剤を摺り切る仕切部材と、排出部に設けられ溝の部分に存在する凝集剤を掻い出すためのナイフとを備え、ナイフの先端部分が凝集剤の到来する方向に傾斜し、ナイフがテーブルの回転方向に対して所定の角度を持つようにしたことを特徴とする。
【０００８】
また、本発明の凝集剤供給装置は、凝集剤を溜めるケーシングと、主軸に取付けられて回転し、ケーシング内の凝集剤を分散させる羽根と、ケーシング内の下方に設けられ、主軸に取付けられて回転し、凝集剤が入り込む溝を有する円形のテーブルと、凝集剤を外部に排出する排出部とケーシングとの間を仕切るとともに、ケーシングから排出部に到来する凝集剤のうち溝の部分に存在する凝集剤のみが排出部に到来するように、凝集剤を摺り切る仕切部材と、排出部に設けられ溝の部分に存在する凝集剤を掻い出すためのナイフとを備え、ナイフの主軸側の部分が凝集剤の到来する方向に傾斜し、ナイフがテーブルの回転方向とは垂直な方向に対して所定の角度を持つようにしたことを特徴とする。
【０００９】
また、本発明の凝集剤供給装置は、凝集剤を溜めるケーシングと、主軸に取付けられて回転し、ケーシング内の凝集剤を分散させる羽根と、ケーシング内の下方に設けられ、主軸に取付けられて回転し、凝集剤が入り込む溝を有する円形のテーブルと、凝集剤を外部に排出する排出部とケーシングとの間を仕切るとともに、ケーシングから排出部に到来する凝集剤のうち溝の部分に存在する凝集剤のみが排出部に到来するように、凝集剤を摺り切る仕切部材と、排出部に設けられ溝の部分に存在する凝集剤を掻い出すためのナイフとを備え、ナイフの先端部分が凝集剤の到来する方向に向けられ、ナイフの先端部分が凝集剤の到来する方向に傾斜するように、ナイフがテーブルの回転方向から排出方向に曲面を持つようにしたことを特徴とする。
【発明の効果】
【００１０】
本発明によれば、コンプレッサーがなくドライエアを供給することが困難な施設でも、一定量の凝集剤を供給することができる。
【発明を実施するための最良の形態】
【００１１】
以下、図面を参照して本発明の実施形態について詳細に説明する。なお、以下の図において、従来例を示す図を含めて、同符号は同一部分または対応部分を示す。
【００１２】
（第１の実施形態）
図１は、本発明の第１の実施形態に係る凝集剤供給装置の概略構成を示す図である。図１において、（ａ）、（ｂ）、（ｃ）はそれぞれ左側面、正面、および上面からみた主要な構成部品の配置を示す図である。また、図２は、凝集剤供給装置の正面からみたナイフの構成を説明するための図である。
【００１３】
図１において、凝集剤供給装置１には、粉末状の凝集剤を溜めるケーシング２と、ケーシング２からの凝集剤を分散させる羽根３が主軸４に取付けられ、主軸４に、溝７を持った円形のテーブル５が取付けられている。排出部８とケーシング２との間に仕切り部材９が設けられている。溝７に入った凝集剤が一定量になるように、排出部８に凝集剤が到来する側の仕切り部材９により凝集剤が摺り切られ、溝７の部分に存在する凝集剤のみが排出部８に到来するように構成され、排出部８において、ケーシング２に凝集剤を掻い出すナイフ６が取付けられている。このナイフ６は、図２に示すように、溝７に挿入される部分において、その先端部分６ａが凝集剤の到来する方向に傾斜し、ナイフ６がテーブル５の回転方向に対して所定の角度（例えば、４５°）を持つようにしている。
【００１４】
次にこのような構成からなる本実施形態の作用について説明する。図１において、主軸４に取付けられたテーブル５は回転し、ケーシング２に入れられた凝集剤は羽根３により分散する。分散した凝集剤はテーブル５の溝７に入り、仕切り部材９により摺り切られ、排出部８において、所定の角度のついたナイフ６により溝７に存在する凝集剤は上に持ち上げられながら、一定量が掻い出され、外部に排出される。
【００１５】
発明者が行った実験によれば、通常１分間に１００ｇの凝集剤を掻い出し排出する凝集剤供給装置において、凝集剤が湿った状態の場合、上述のように従来例の構成では１分間に５０ｇ程度しか掻い出し排出することができなかったが、本実施形態のようにナイフ６に４５°の角度を持たせた場合、１分間に９９〜１０１ｇ、すなわち規定値どおり略１００ｇの凝集剤を掻い出し排出することができた。
【００１６】
このように、本実施形態によれば、凝集剤を掻い出すためのナイフ６にテーブル５の回転方向に対して角度を付ける事により、溝に入った凝集剤を掻い出し易くすることができ、一定量の供給を行うことができる。従って、コンプレッサーがなくドライエアを供給することが困難な施設でも、一定量の凝集剤を供給することができる。
【００１７】
なお、ナイフ６の位置を上下に移動させて微調整することにより、掻い出される凝集剤の量を微調整することができる。
【００１８】
（第２の実施形態）
図３は、本発明の第２の実施形態に係る凝集剤供給装置の概略構成を示す図である。図３において、（ａ）、（ｂ）、（ｃ）はそれぞれ左側面、正面、および上面からみた主要な構成部品の配置を示す図である。また、図４は、凝集剤供給装置の上面からみたナイフの構成を説明するための図である。
【００１９】
上述の第１の実施形態では、ナイフ６がテーブル５の回転方向に対して所定の角度を持つように構成したが、この第２の実施形態では、ナイフ６がテーブル５の回転方向とは垂直な方向に対して角度を持つように構成したものである。
【００２０】
すなわち、図４に示すように、ナイフ６の主軸側の部分６ｂが凝集剤の到来する方向に傾斜し、ナイフ６がテーブル５の回転方向とは垂直な方向に対して所定の角度（例えば、４５°）を持つように構成している。このように、ナイフ６に角度を持たせることにより、凝集剤に対して出口方向（排出方向）への力が強まって、凝集剤は出口方向にずらされながら、一定量が掻い出され、外部に排出される。
【００２１】
発明者が行った実験によれば、凝集剤が湿った状態の場合、従来例の構成では１分間に５０ｇ程度しか掻い出し排出することができなかったが、本実施形態のようにナイフ６に４５°の角度を持たせた場合、１分間に規定値どおり略１００ｇの凝集剤を掻い出し排出することができた。
【００２２】
このように、本実施形態によれば、凝集剤を掻い出すためのナイフ６にテーブル５の回転方向とは垂直な方向に対して角度を付ける事により、溝に入った凝集剤を掻い出し易くすることができ、一定量の供給を行うことができる。従って、コンプレッサーがなくドライエアを供給することが困難な施設でも、一定量の凝集剤を供給することができる。
【００２３】
なお、ナイフ６の位置を上下に移動させて微調整することにより、掻い出される凝集剤の量を微調整することができる。
【００２４】
（第３の実施形態）
図５は、本発明の第３の実施形態に係る凝集剤供給装置の概略構成を示す図である。図５において、（ａ）、（ｂ）、（ｃ）はそれぞれ左側面、正面、および上面からみた主要な構成部品の配置を示す図である。また、図６は、凝集剤供給装置の上面からみたナイフの構成を説明するための図である。
【００２５】
上述の第１の実施形態ではナイフ６がテーブル５の回転方向に対して所定の角度を持つように、また第２の実施形態ではナイフ６がテーブル５の回転方向とは垂直な方向に対して角度を持つように構成したが、この第３の実施形態では、ナイフ６がテーブル５の回転方向から排出方向へ曲面を持つように構成したものである。
【００２６】
すなわち、図６に示すように、ナイフ６の先端部分６ａが凝集剤の到来する方向に向けられ、ナイフ６がテーブル５の回転方向から排出方向へ曲面を持つように構成している。このように、ナイフ６がテーブル５の回転方向から排出方向へ曲面を持つように構成することにより、凝集剤は上に持ち上げられながら出口方向にずらされ、一定量が掻い出され、外部に排出される。
【００２７】
発明者が行った実験によれば、凝集剤が湿った状態の場合、従来例の構成では１分間に５０ｇ程度しか掻い出し排出することができなかったが、本実施形態のようにナイフ６がテーブル５の回転方向から排出方向へ曲面を持つように構成した場合、１分間に、規定値どおり略１００ｇの凝集剤を掻い出し排出することができた。
【００２８】
このように、本実施形態によれば、凝集剤を掻い出すためのナイフ６がテーブル５の回転方向から排出方向へ曲面を持つように構成した事により、溝に入った凝集剤を掻い出し易くすることができ、一定量の供給を行うことができる。従って、コンプレッサーがなくドライエアを供給することが困難な施設でも、一定量の凝集剤を供給することができる。
【００２９】
なお、ナイフ６の位置を上下に移動させて微調整することにより、掻い出される凝集剤の量を微調整することができる。
【図面の簡単な説明】
【００３０】
【図１】本発明の第１の実施形態に係る凝集剤供給装置の概略構成を示す図。
【図２】第１の実施形態における主要部の構成を説明するための図。
【図３】本発明の第２の実施形態に係る凝集剤供給装置の概略構成を示す図。
【図４】第２の実施形態における主要部の構成を説明するための図。
【図５】本発明の第３の実施形態に係る凝集剤供給装置の概略構成を示す図。
【図６】第３の実施形態における主要部の構成を説明するための図。
【図７】従来例の概略構成を示す図。
【符号の説明】
【００３１】
１…凝集剤供給装置
２…ケーシング
３…羽根
４…主軸
５…テーブル
６…ナイフ
７…溝
８…排出部
９…仕切り部材
【図１】
2008229521.tif 000003
【図２】
2008229521.tif 000004
【図３】
2008229521.tif 000005
【図４】
2008229521.tif 000006
【図５】
2008229521.tif 000007
【図６】
2008229521.tif 000008
【図７】
2008229521.tif 000009